(57)【特許請求の範囲】
【請求項１】
厚みが０．４〜１．６ｍｍの金属板を用い、方形の表面板の３辺に一様な幅の側板と、各側板の先に係止片を連設した形状に金属板を打ち抜き、係止片が内側へくるように３つの側板を起立させて一側開放の金属製被せ板を作り、別に被せ板の開放側面を覆う長方形の側板と、この側板の１つの長辺に連設した係止片と、長方形側板の残る３辺に連設した挿入片とを一体にした形状に金属板を打ち抜き、係止片と挿入片とを何れも同じ側に起立させて金属製蓋を作っておき、被せ板の開放された一側から木質板を挿入し、その後開放された一側に上記蓋を対向させ、蓋の挿入片を被せ板の表面板又は側板と木質板との間に挿入して蓋を木質板内臓金属板に固定することを特徴とする、木質板内蔵金属板の製造方法。
【請求項２】
前記蓋の挿入片の外がわ面に接着剤、又は両面粘着テープを付設して、挿入片を金属製被せ板に接着することを特徴とする、請求項１に記載の木質板内蔵金属板の製造方法。
【請求項３】
前記木質板が、木質材からなる枠の中に、紙又はプラスチック製のハニカムボード又はプラスチック発泡体を充填したものであることを特徴とする、請求項１又は２に記載の木質板内蔵金属板の製造方法。
【発明の詳細な説明】
【技術分野】
【０００１】
この発明は、木質板を内蔵した金属板の製造方法に関するものである。
【背景技術】
【０００２】
木質板を内蔵した金属板は、棚板として使用されている。使用されている木質板内蔵金属板の多くは、図１に示したように、方形の金属製表面板１の３辺に側板２を起立させ、各側板２の先を表面板１の内側へ向けて折曲して係止片３とし、表面板１の残る１辺を開放して、一側開放形の被せ板を作り、その開放側から被せ板内に木質板４を挿入し、木質板４の表面を被せ板の内面に密着させて作られている。
【０００３】
図１に示した木質板内蔵の金属板は、表面板１を上にして棚板として使用される。この金属板は１つの側面５に木質板４が露出しているので、見栄えがよくない。そのため、この金属板を使用するときは、木質板の露出した側面５を人目に付かない方向に向け、例えば壁に向けて配置することとしている。とくに木質板の露出面を見せたくない場合は、２枚の金属板を使用して、木質板の露出した面同士を向かい合わせに配置するようにしている。しかし、わざわざ２枚の金属板に分けて使用することは不便である。
【０００４】
図１に示したように、一側開放形の被せ板を使用してきたのは、木質板の露出面を密接した金属板で塞ぐことが、工作上容易でないからである。側面５に木質板４が露出しないようにするには、図２に示したように、方形の表面板１の四辺に４つの側板２を付設しておき、初めに４つの側板のうち３つの側板だけを起立させておき、起立していない側板６がわから木質板を挿入し、その後で側板６を起立させればよい、と誰しも考える。ところが、木質板４を挿入したあとで側板６を起立させて、木質板に密接させることは容易でない。
【０００５】
側板６を起立させるのが容易でない理由は、次のとおりである。一般に、金属板を折曲して起立させるには、起立した状態を規制する固定型と、金属板を起立させる移動型とを設置することが必要とされる。ところが、木質板を挿入した状態では固定型を設置する空間がないため、固定型を設置することができないからである。木質板は、固定型の役目を果たすことができないからである。
【０００６】
図２に示した一側開放形の被せ板に、開放側の側板を予め処理しておいて、木質板を挿入したのち、開放側の側板を起立させ易くして、木質板の４つの側面をすべて金属板で覆うようにした木質板内蔵金属板の製造方法も知られている。それは特開２０１５−１０７５８０号公報に記載されている。その方法は、図３に示したように、開放側の側板６の折り目、すなわち側板６と表面板１との境界線７にレーザー光を照射して、切れ目８を断続的に設けておくという方法である。
【０００７】
ところが、この方法で作られた木質板内蔵金属板は、被せ板の側板６を起立させると、切れ目８のかどが尖った先端として現われる。そのため、切れ目８に手が触れると手が傷つくおそれがある。これを防ぐには尖った先端を削り落とせばよいが、そのようなことをするのは煩瑣であって、実施容易でない。
【０００８】
そこで、方形木質板の表面と四つの側面とをすべて金属で覆って見栄えがよく、しかもかどがすべて滑らかで、手を傷つけるおそれのない木質板内蔵金属板を工業的に容易に製造できる方法の出現が望まれた。
【先行技術文献】
【特許文献】
【０００９】
【特許文献１】特開２０１５−１０７５８０号公報
【発明の概要】
【発明が解決しようとする課題】
【００１０】
この発明は、上述のような要望に答えるものであって、方形木質板の表面と４つの側面とをすべて金属板で覆った木質板内蔵の金属板であって、かどが滑かな木質板内蔵の金属板を、工業的に容易に製造できる方法を提供しようとしてなされたものである。
【課題を解決するための手段】
【００１１】
この発明に係る方法は、図４に示したように、木質板４の１つの側面５が露出した状態で金属板が木質板を覆ってなる一側開放の木質板内蔵金属板Ａを材料とし、側面５を蓋Ｂで覆って、木質板の１つの表面と４つの側面とをすべて金属板で覆った木質板内蔵の金属板を作ることを骨子とする。
【００１２】
木質板内蔵金属板Ａを作るには、まず図５に示すように、木質板の表面を覆う大きさの方形の表面板１の３辺に、木質板の厚みに相当する一様な幅を持った側板２と、側板２の先に係止片３を連設した形状に金属板を打ち抜くことが必要である。次いで、係止片３が内側へくるように３つの側板２を起立させて、まず一側開放の金属製被せ板を作る。その後、開放側から木質板を被せ板の中へ挿入して、木質板内蔵金属板とする。
【００１３】
蓋Ｂを作るには、まず、図６に示したように、木質板の側面５を丁度覆う形状と大きさを持った長方形の側板１１を定め、側板１１の１つの長辺に係止片１２を連設するとともに、他の長辺に挿入片１３を連設し、短辺にはそれぞれ挿入片１４と１５とを連設した形状に金属板を打ち抜くことが必要である。この場合、係止片１２の形状は、上記金属製被せ板における係止片３の欠缺部分を丁度埋める形状にすべきことは云うまでもない。次いで、係止片１２と挿入片１３、１４及び１５を側板１１に対して同じ方向にほぼ直角に折曲して、図７のような形状にして、これを蓋Ｂとする。
【００１４】
こうして作った蓋を木質板内蔵金属板と対向させ、図４に示したように、蓋Ｂの係止片１２を木質板内蔵金属板Ａの木質板露出面５に向けて置く。次いで、蓋Ｂを矢印方向に進め、挿入片１４と１５とを側板２と木質板４との間へ挿入するとともに、挿入片１３を表面板１と木質板４との間へ挿入し、さらに蓋Ｂを金属板Ａに押し付ける。
【００１５】
すると、蓋Ｂの係止片１２は、金属板４の係止片３と突き合わせになって木質板４の四辺に係止片が一連に形成されたことになる。また、金属板Ａの木質板露出面５は蓋Ｂの側板１１によって完全に覆われる。こうして、図８に示したような木質板内蔵の金属板が得られる。
これが、この発明に係る木質板内蔵の金属板の製造方法である。
【００１６】
上述のように、この発明は、厚みが０．４〜１．６ｍｍの金属板を用い、方形の表面板の３辺に一様な幅の側板と、各側板の先に係止片を連設した形状に金属板を打ち抜き、係止片が内側へくるように３つの側板を起立させて一側開放の金属製被せ板を作り、別に被せ板の開放側面を覆う長方形の側板と、この側板の１つの長辺に連設した係止片と、長方形側板の残る３辺に連設した挿入片とを一体にした形状に金属板を打ち抜き、係止片と挿入片とを何れも同じ側に起立させて金属製蓋を作っておき、被せ板の開放された一側から木質板を挿入し、その後開放された一側に上記蓋を対向させ、蓋の挿入片を被せ板の表面板又は側板と木質板との間に挿入して蓋を木質板内蔵金属板に固定すること特徴とする、木質板内蔵の金属板の製造方法を提供するものである。
【発明の効果】
【００１７】
この発明では、方形の表面板の３辺に一様な幅の側板と、側板の先に係止片を付設した形状に金属板を打ち抜き、係止片が内側へくるように３つの側板を起立させて一側開放の金属製被せ板を用いるが、このような金属製被せ板は公知である。この発明では、このような構造の被せ板を用いるために被せ板に木質板を挿入することが容易であり、また挿入しただけで木質板は係止片によって係止されるから、木質板内蔵金属板を作ることが容易である。
【００１８】
また、この発明では、被せ板とは別に金属製蓋を作ることとし、蓋は被せ板の開放側面を覆う長方形の側板と、この側板の１つの長辺に連設した係止片と、長方形側板の残る３辺に連設した挿入片とを一体にした形状に金属板を打ち抜き、係止片と挿入片とを何れも同じ側に起立させて作られているから、蓋を木質板内蔵金属板の開放側面に当接するにあたり、３つの挿入片をそれぞれ金属板の表面板又は側板と木質板との間へ挿入することにより、蓋の側板を木質板内蔵金属板の木質板の露出面に確実に付設することができる。
【００１９】
また、この発明では蓋に挿入片が付設されており、この挿入片は被せ板がわの側板及び表面板の内面に接触するものであるから、挿入片の外面に接着剤を付設することにより、容易に蓋を被せ板に固定することができる。
【００２０】
さらに、この発明によって作られた木質板内蔵の金属板は、金属製の被せ板の内部に、これに密接する木質板が内蔵されているため、木質板によって補強されて、撓みが少ないだけでなく、金属板を叩いたり他物に衝突させたとき、木質板が金属板の振動を抑えるので、被せ板の響きを抑える効果がある。従って、金属製の消音板として価値のあるものである。そのため、木質板内蔵の金属板は、棚板として使用される以外に、金属製保管庫の扉などにも使用でき、広い用途を期待することができる。
この発明は、このような効果をもたらすものである。
【図面の簡単な説明】
【００２１】
【図１】図１は、公知の木質板内臓金属板の斜視図である。
【図２】図２は、木質板内蔵金属板の製造に使用可能と思われる仮想上の金属製被せ板の斜視図である。
【図３】図３は、公知の金属製被せ板の展開斜視図である。
【図４】図４は、この発明に係る木質板内蔵の金属板の製造方法を示す斜視図である。
【図５】図５は、図４に示した木質板内蔵金属板Ａ中の被せ板の展開図である。
【図６】図６は、図４に示した蓋Ｂの展開図である。
【図７】図７は、図４に示した蓋Ｂの内側から見た斜視図である。
【図８】図８は、この発明に係る木質板内蔵の金属板の製造方法によって得られた製品の斜視図である。
【図９】図９は、この発明で用いることのできる木質板の一部切欠斜視図である。
【発明を実施するための形態】
【００２２】
この発明は、木質板内蔵の金属板を作る方法を対象とするものであって、金属製の被せ板と金属製の蓋とを別々に作り被せ板が木質板を内蔵したあとで、被せ板に蓋を付設することを骨子とする。
金属板としては、スチール板、とりわけステンレススチール板、アルミニウム板等を用いることができる。金属板の厚みは、０．４〜１．６ｍｍの範囲のものを用いる。その中でも０．６〜１．２ｍｍ、とりわけ０．８〜１．０ｍｍのものを用いることが好ましい。
【００２３】
木質板としては、縦が３００〜１２００ｍｍ、横が３００〜２４００ｍｍ、厚みが１５〜４０ｍｍの大きさものを用いる。また、木質板としては、乾燥した天然木材の板を用いることもできるが、それよりも加工した木質板を用いることが好ましい。加工した木質板としては、例えば木材の削片を合成樹脂で板状に固めたパーティクルボードや、ベニヤ板を用いることができる。とりわけ、パーティクルボードの両面にベニヤ板を接着して作られた積層板を用いることが好ましい。また、木質板は全体が１つになった一体物であることが好ましいが、２箇以上に分割されたものであってもよい。
【００２４】
また、木質板は、一部に木材以外の材料を用いて作られたものであってもよい。例えば、図９に示したように、断面方形の長尺の木製芯材を用いて長辺Ａと短辺Ｂとからなる方形の枠を作り、対向する長辺Ａの間にところどころ補強片Ｃをさしわたして補強枠を作り、その中の空間にプラスチック製又は強化紙製のハニカムボード又はプラスチック発泡体Ｄを充填してこれを基板とする。この基板の両面にベニヤ板Ｅを張り合わせて、これを木質板として用いる。この木質板は軽量であるという利点を持っている。
【００２５】
この発明では、金属板で被せ板を作る。被せ板を作るには、金属板を図５に示した形状に打ち抜くことが必要とされる。その形状は方形の表面板１の３辺に、木質板の厚みに見合う一様な幅の側板２を連設し、さらに側板２の先に適当な幅の係止片３を連設した形状である。表面板１の大きさは木質板の大きさによって変わるが、表面板１は最大で縦１２００ｍｍ、横２４００ｍｍである。係止片３の幅は最大で約４２ｍｍとする。
【００２６】
こうして打ち抜いた金属板は、これを折曲して、まず各係止片３を側板２に対して同じがわに起立させる。次いで各係止片３が内側へくるように、各側板２を表面板１に対して同じがわへ起立させる。すると各係止片３は表面板１と平行に延び、各側板２が表面板１の３辺に起立した一側開放の箱状体が形成される。この箱状体が木質板の被せ板である。
この被せ板は、開放された一側から木質板が挿入されて、木質板内蔵金属板となる。
【００２７】
この発明では、被せ板を作った金属と同じ厚みの金属板を用いて、被せ板とは別に金属製蓋を作る。そのためには、金属板を図６に示したような形状に打ち抜くことが必要である。その形状は、図４の木質板内蔵金属板Ａの木質板露出面５を丁度覆う形状と大きさとを持った長方形の側板１１を基本とし、側板１１の１つの長辺の全長にわたって、係止片１２を連設し、他の３辺の全長又は一部に挿入片１３を連設し、側板１１の短辺に、その全長又は一部にわたって挿入片１４と１５とを連設した形状である。
【００２８】
係止片１２は被せ板に設けた係止片３と同じ幅にし、係止片１２の両端は係止片３と丁度突き合わせになる形状にする。図６では係止片１２の両端は４５度の角度の斜めにしている。
こうして打ち抜いた金属板は、係止片１２と挿入片１３、１４及び１５を側板１１に対して同じがわに起立させて、図７に示したような溝造にする。こうして作られた溝造物が蓋Ｂである。
【００２９】
この発明では、こうして作った蓋Ｂの挿入片１３の外側面に接着剤を付設して、蓋Ｂを木質板内蔵金属板Ａに対向させ、図４に示したように、蓋Ｂの係止片１２の突出がわを金属板Ａの木質板露出面５へ向けて置く。次いで、蓋Ｂを金属板Ａに向けて進め、蓋Ｂの挿入片１３を表面板１と木質板４との間へ挿入するとともに、挿入片１４と１５とを金属板Ａの側板２と木質板４との間へ挿入する。さらに蓋Ｂを押し進めると、蓋Ｂの側板１１が金属板Ａの露出面５を完全に被覆する。
【００３０】
すると、蓋Ｂの係止片１２は金属板Ａの係止片３と突き合わせになる。そこで、蓋の係止片１２を木質板４に向かって押し付けると、蓋の挿入片１３が金属板の表面板１の内側面に密接し、挿入片１３が接着剤により表面板１の内がわ面に接着される。こうして図８に示したような木質板内蔵の金属板が完成される。
係止片３及び１２は、ところどころ木質板にビスで止めて固定することが好ましい。
【００３１】
蓋Ｂの挿入片１３に付設する接着剤は、一般に金属と木材とを接着するのに用いられる接着剤を用いることもできるが、好ましいのは両面粘着テープである。すなわち、蓋Ｂの挿入片１３の外がわ面に両面粘着テープを貼り付けると、接着剤の乾燥を待つ必要がなく、ただ押し付けるだけで接着を完了することができるので便利である。
また、蓋Ｂの金属板Ａへの接着は、係止片１２の内側面及び／又は木質板４の上面及び／又は蓋Ｂの挿入片１４及び１５の外側面に接着剤を付設して行うこともできる。
【００３２】
この発明に係る木質板内蔵の金属板では、木質板の裏面がわに被せ板と同様の金属板又はポリエチレンなどの合成樹脂板を当接して木質板の全面を覆い、木質板から出る木屑などの落下を防ぐことが好ましい。
次に実施の一例を記載する。
【実施例】
【００３３】
木質板としては、縦が９００ｍｍ、横が１８００ｍｍの方形で、厚みが２０ｍｍの板を用いた。その板は、図９に示したように、積層材であって、両面にはベニヤ板が貼られているが、中間層は木製の角材を用いて縦が９００ｍｍで横が１８００ｍｍの長方形の枠を作り、対向する長辺の間には木製角材をさしわたし、その間の空間に強化紙製のハニカムボードを充填したものを用いた。
【００３４】
さらに詳しく云えば、木製角材は厚みが１５ｍｍで幅が５０ｍｍのものを用いて、長さが１８００ｍｍの長辺材と、長さが８００ｍｍの短辺材とを作り、これを用いて縦が９００ｍｍで横が１８００ｍｍの長方形の枠を作った。この枠の９００ｍｍの各短辺から右及び左に１２５ｍｍの空間をおいて２本の第１補強角材をさしわたし、第１補強角材から右又は左に３００ｍｍの空間をおいて２本の第２補強角材をさしわたし、さらに第２補強角材から３００ｍｍの空間をおいて１本の第３補強角材をさしわたして、強化枠を作った。この枠の各空間内に強化紙製のハニカムボードを充填して、厚みが１５ｍｍ、縦が９００ｍｍ、横が１８００ｍｍの中間層を作った。
【００３５】
この中間層の両面に厚みが２．５ｍｍのベニヤ板を貼って厚みが２０ｍｍの木質板を作った。
金属板としては厚みが０．８ｍｍのステンレス板を用いた。このステンレス板を図５に示したように、上記の木質板の形に合わせて、縦が９００ｍｍで横が１８００ｍｍの方形の表面板１の３辺に、幅が２３ｍｍの側板２を連設し、側板２の先に幅が２２ｍｍの係止片３を連設した形状にステンレス板を打ち抜いた。
【００３６】
打ち抜いたステンレス板は、まず各係止片３を側板２に対して同じがわに起立させ、次いで係止片３が内がわにくるように各側板２を表面板１から起立させて、一側が開放された箱状の成形体を作った。この成形体が金属製被せ板である。
その後、この金属製被せ板の開放された一側から上記の木質板を挿入して、木質板内蔵金属板を作った。
【００３７】
別に、厚み０．８ｍｍのステンレス板を図６に示した形状に打ち抜いた。その形状は、中心に位置する側板１１が縦２３ｍｍで横９００ｍｍの長方形で、上記金属製被せ板の開放された側面を丁度塞ぐだけの大きさのものである。側板１１の長辺の１つには幅２２ｍｍの係止片１２が全長にわたって連設され、これに対向するもう１つの長辺には横が８００ｍｍで幅が２０ｍｍの挿入片１３が連設されていた。また、側板１１の短辺にはそれぞれ縦２０ｍｍ、幅２０ｍｍの挿入片１４と１５とが連設されていた。
【００３８】
図６の形状に打ち抜いたステンレス板は、係止片１２と挿入片１３、１４及び１５を何れも側板１１に対して同じ側に起立させて、図７に示したような溝造にした。この溝造のものが金属製蓋である。
金属製蓋では、挿入片１３の外がわ面に全面にわたって両面粘着テープを貼り付けた。
【００３９】
その後、図４に示したように、蓋Ｂの係止片１２を上記の木質板内蔵金属板の木質板露出面５に向けて置いた。次いで蓋Ｂを矢印方向に進行させ蓋の挿入片１３を木質板内蔵金属板Ａの表面板１と木質板４との間へ挿入し、同時に蓋Ｂの挿入片１４と１５とをそれぞれ金属板Ａの側板２と木質板４との間へ挿入し、さらに蓋Ｂを金属板Ａに押し付けた。
【００４０】
すると、蓋Ｂの係止片１２は金属板Ａの係止片３と突き合わせになって木質板４の露出面５は蓋Ｂの側板１１によって覆われる状態になった。この状態で係止片１２を木質板４に向って押し付けると、蓋Ｂの挿入片１３が両面粘着テープによって金属板Ａの表面板１へ強固に接着された。こうして蓋Ｂは金属板Ａへ固定された。これにより、この発明が目的とする木質板の表面だけでなく４つの側面がすべて金属板で覆われた木質板内蔵の金属板を得ることができた。
【００４１】
こうして得られた木質板内蔵の金属板は表面だけでなく、表面に続く４つの側面がすべて金属板で覆われているため美麗である。しかも、金属板の曲がりかどには尖った部分がないから手を傷つけることもなく、取扱いが容易である。また、製造にレーザー光線発生装置のような特別の装置も必要でないから製造が容易である。従ってこの発明は実用の効果が大きい。
【符号の説明】
【００４２】
Ａ    公知の木質板内蔵金属
Ｂ    この発明で用いる金属製蓋
１    表面板
２    側板
３    係止片
４    木質板
５    木質板４の露出した側面
１１    金属製蓋Ｂの側板
１２    金属製蓋Ｂの係止片
１３、１４、１５    金属製蓋Ｂの挿入片
【図１】
0006600915.tif 000002
【図２】
0006600915.tif 000003
【図３】
0006600915.tif 000004
【図４】
0006600915.tif 000005
【図５】
0006600915.tif 000006
【図６】
0006600915.tif 000007
【図７】
0006600915.tif 000008
【図８】
0006600915.tif 000009
【図９】
0006600915.tif 000010